(57)【要約】【課題】カバー部材が不用意に脱落する事態を招来することなく搬送空間の保守点検作業を容易に行うこと。【解決手段】搬送走行体２０が設けられるフレーム１０と、フレーム１０に対して着脱可能に係合される弾性係合片３３を有し、弾性係合片３３を介してフレーム１０に取り付けた場合にフレーム１０との間に搬送空間Ｍを構成する搬送カバー３０とを備え、搬送走行体２０の駆動により搬送空間Ｍに沿って紙葉の搬送が可能となる紙葉搬送路１であって、フレーム１０に対向する搬送カバー３０の前面からフレーム１０に向けて突出するように弾性係合片３３を設けるとともに、搬送カバー３０の後面から前面にわたる部位に弾性係合片３３とフレーム１０との係合状態を解除可能とする操作用孔３２を設けた。【選択図】図３
2015148962.tif 000002
【特許請求の範囲】
【請求項１】
搬送機構が設けられるフレームと、前記フレームに対して着脱可能に係合される弾性係合片を有し、前記弾性係合片を介して前記フレームに取り付けた場合に前記フレームとの間に搬送空間を構成するカバー部材とを備え、前記搬送機構が駆動した場合に前記搬送空間に沿って紙葉の搬送が可能となる紙葉搬送路であって、
前記フレームに対向する前記カバー部材の前面から前記フレームに向けて突出するように前記弾性係合片を設けるとともに、前記カバー部材の後面から前面にわたる部位に前記弾性係合片と前記フレームとの係合状態を解除可能とする操作用切欠を設けたことを特徴とする紙葉搬送路。
【請求項２】
前記弾性係合片は、前記カバー部材の前面から前記フレームに向けて突出した後、先端が前記フレームから離隔するように湾曲して前記操作用切欠の内部に位置するものであり、湾曲した部分から先端までの間であって、前記操作用切欠の外部に露出した部分の外表面に前記フレームに係合する爪部を有したことを特徴とする請求項１に記載の紙葉搬送路。
【請求項３】
前記フレーム及び前記カバー部材は、紙葉を水平方向に沿って搬送するように前記搬送空間を構成するものであり、
前記カバー部材の弾性係合片は、前記カバー部材の上縁部と下縁部とに対を成すように設けたことを特徴とする請求項１に記載の紙葉搬送路。
【請求項４】
前記カバー部材の上縁部と下縁部とに設けた対を成す弾性係合片は、互いに内方となる部分に前記フレームに係合する爪部を有したものであり、前記操作用切欠を介して互いに離反する方向に弾性変形させた場合に前記フレームとの係合状態が解除されることを特徴とする請求項３に記載の紙葉搬送路。
【請求項５】
前記カバー部材には、前記弾性係合片が前記フレームに係合された場合に前記フレームに当接することにより、前記弾性係合片と前記フレームとの係合状態が解除可能となる方向への前記フレームと前記カバー部材との相対移動を阻止するストッパ片を設けたことを特徴とする請求項１に記載の紙葉搬送路。
【発明の詳細な説明】
【技術分野】
【０００１】
本発明は、フレームとカバー部材との間に構成される搬送空間に沿って紙幣等の紙葉の搬送が可能となる紙葉搬送路に関するものである。
【背景技術】
【０００２】
紙幣等の紙葉の搬送に適用される紙葉搬送路には、搬送チェーンや搬送ベルト等、搬送機構の搬送走行体が設けられるフレームと、フレームに対して着脱可能に取り付けられるカバー部材との間に搬送空間が構成されており、フレームからカバー部材を取り外すことで搬送空間を開放し、保守点検作業の容易化を図るようにしたものが提供されている。
【０００３】
例えば、紙幣を水平方向に沿って搬送する場合に用いられる紙葉搬送路では、カバー部材の上下にそれぞれ爪部を有した弾性係合片が設けられている。弾性係合片は、操作部を介して外力を加えた場合、フレームに対して爪部を係合した状態と係合を解除した状態とに切り替わるように弾性的に変形することが可能である。
【０００４】
この種の紙葉搬送路では、操作部を介して弾性係合片を弾性的に変形させ、爪部を介してフレームに係合させることでカバー部材がフレームに着脱可能に取り付けられ、フレームとカバー部材との間に搬送空間が構成されるため、取付ネジ等、フレームに対してカバー部材を取り付けるための部材を要しない。従って、コストの点で有利となるばかりでなく、工具を用いる必要がないため、フレームに対してカバー部材を着脱する際の作業の容易化も図ることができる（例えば、特許文献１及び特許文献２参照）。
【先行技術文献】
【特許文献】
【０００５】
【特許文献１】特開２００９−５６０６３号公報
【特許文献２】特開２００７−３９１９１号公報
【発明の概要】
【発明が解決しようとする課題】
【０００６】
しかしながら、上述の紙葉搬送路では、弾性爪片の操作部に触れた場合、フレームに対してカバー部材が不用意に脱落し、紙葉の搬送が困難となったり、カバー部材に損傷を来すおそれがある。特に、複数の遊技機を並設した遊技島において紙幣を搬送する紙葉搬送路にあっては、設置箇所が遊技機の背面側となり、周囲に多数の配線や遊技媒体を供給するための供給設備が配置される。このため、これらの配線や供給設備を点検する場合に作業者が誤って弾性係合片の操作部に触れる機会も多くなり、上述の問題が顕著となる。
【０００７】
本発明は、カバー部材が不用意に脱落する事態を招来することなく搬送空間の保守点検作業を容易に行うことのできる紙葉搬送路を提供することを目的とする。
【課題を解決するための手段】
【０００８】
上記目的を達成するため、本発明に係る紙葉搬送路は、搬送機構が設けられるフレームと、前記フレームに対して着脱可能に係合される弾性係合片を有し、前記弾性係合片を介して前記フレームに取り付けた場合に前記フレームとの間に搬送空間を構成するカバー部材とを備え、前記搬送機構が駆動した場合に前記搬送空間に沿って紙葉の搬送が可能となる紙葉搬送路であって、前記フレームに対向する前記カバー部材の前面から前記フレームに向けて突出するように前記弾性係合片を設けるとともに、前記カバー部材の後面から前面にわたる部位に前記弾性係合片と前記フレームとの係合状態を解除可能とする操作用切欠を設けたことを特徴とする。
【０００９】
また、本発明は、上述した紙葉搬送路において、前記弾性係合片は、前記カバー部材の前面から前記フレームに向けて突出した後、先端が前記フレームから離隔するように湾曲して前記操作用切欠の内部に位置するものであり、湾曲した部分から先端までの間であって、前記操作用切欠の外部に露出した部分の外表面に前記フレームに係合する爪部を有したことを特徴とする。
【００１０】
また、本発明は、上述した紙葉搬送路において、前記フレーム及び前記カバー部材は、紙葉を水平方向に沿って搬送するように前記搬送空間を構成するものであり、前記カバー部材の弾性係合片は、前記カバー部材の上縁部と下縁部とに対を成すように設けたことを特徴とする。
【００１１】
また、本発明は、上述した紙葉搬送路において、前記カバー部材の上縁部と下縁部とに設けた対を成す弾性係合片は、互いに内方となる部分に前記フレームに係合する爪部を有したものであり、前記操作用切欠を介して互いに離反する方向に弾性変形させた場合に前記フレームとの係合状態が解除されることを特徴とする。
【００１２】
また、本発明は、上述した紙葉搬送路において、前記カバー部材には、前記弾性係合片が前記フレームに係合された場合に前記フレームに当接することにより、前記弾性係合片と前記フレームとの係合状態が解除可能となる方向への前記フレームと前記カバー部材との相対移動を阻止するストッパ片を設けたことを特徴とする。
【発明の効果】
【００１３】
本発明によれば、フレームに対向するカバー部材の前面からフレームに向けて突出するように弾性係合片を設け、かつ操作用切欠を介して弾性係合片とフレームとの係合状態を解除可能としているため、弾性係合片に誤って触れるおそれがない。従って、カバー部材が不用意に脱落する事態を招来することなく搬送空間の保守点検作業を容易に行うことが可能となる。
【図面の簡単な説明】
【００１４】
【図１】図１は、本発明の実施の形態である紙葉搬送路の外観を示す斜視図である。
【図２】図２は、図１に示した紙葉搬送路において搬送カバーを取り外した状態の斜視図である。
【図３】図３は、図１に示した紙葉搬送路の拡大端面一部破断図である。
【図４】図４は、図１に示した紙葉搬送路において搬送カバーを取り外した状態の拡大端面図である。
【図５】図５は、図１に示した紙葉搬送路の搬送カバーを後面から見た要部拡大斜視図である。
【図６】図６は、図１に示した紙葉搬送路の搬送カバーを前面から見た要部拡大斜視図である。
【図７】図７は、図１に示した紙葉搬送路の搬送カバーを一部破断して前面から見た要部拡大斜視図である。
【図８】図８は、図１に示した紙葉搬送路の搬送カバーの相互間を継手部材によって連結した状態を前面から見た図である。
【図９】図９は、図１に示した紙葉搬送路の搬送カバーと継手部材とを前面から見た分解図である。
【図１０】図１０は、図８に示した搬送カバーと継手部材との断面を示すもので、（ａ）はＸ−Ｘ線断面図、（ｂ）はＹ−Ｙ線断面図である。
【図１１】図１１は、図１に示した紙葉搬送路を適用した遊技島を模式的に示す平面図である。
【発明を実施するための形態】
【００１５】
以下、添付図面を参照しながら本発明に係る紙葉搬送路の好適な実施の形態について詳細に説明する。
【００１６】
図１及び図２は、本発明の実施の形態である紙葉搬送路を示したものである。ここで例示する紙葉搬送路１は、図１１に示すように、遊技島１００において遊技媒体貸出機１０１に投入された紙幣を搬送対象とし、この紙幣を遊技島端部の紙幣収納庫１０２まで水平方向に沿って搬送する紙幣搬送装置に用いられるものである。特に、本実施の形態では、複数の遊技機１０３及び遊技媒体貸出機１０１を並設した２つの遊技機列が背中合わせとなるように配設した遊技島１００において、一方の遊技機列の遊技媒体貸出機１０１に投入された横長起立姿勢の紙幣を搬送する搬送空間Ｍと、他方の遊技機列の遊技媒体貸出機１０１に投入された横長起立姿勢の紙幣を搬送する搬送空間Ｍとが並設される紙葉搬送路１を例示している。
【００１７】
紙葉搬送路１は、図３及び図４に示すように、搬送空間Ｍを構成する際に基準となるフレームを備えている。フレーム１０は、アルミニウム等の金属によって成型した押し出し形材であり、全長にわたって一様な断面積を有するように構成してある。
【００１８】
本実施の形態のフレーム１０は、薄板状を成す仕切板部１１の上下両側端縁にそれぞれ連結板部１２を有し、さらに個々の連結板部１２の左右両側端縁にそれぞれガイドレール部１３を有している。連結板部１２は、仕切板部１１に対して直交する方向に延在した薄板状を成すものである。個々の連結板部１２は、仕切板部１１に対して１／２程度の幅を有しており、仕切板部１１から両側への突出長さが等しくなる状態で仕切板部１１に接続している。ガイドレール部１３は、仕切板部１１に平行となるように連結板部１２のそれぞれの端縁に設けた薄板状部材である。個々のガイドレール部１３は、連結板部１２と同等の幅を有しており、連結板部１２から両側へ突出した状態で連結板部１２に接続している。ガイドレール部１３の連結板部１２からの突出長さは、仕切板部１１に対向する方向への突出長さに対して、互いに離反する方向への突出長さが２倍程度となるように偏らせてある。
【００１９】
また、フレーム１０には、それぞれのガイドレール部１３の互いに離反した端縁部に係合溝部１４が設けてある。係合溝部１４は、各ガイドレール部１３の端縁から連結板部１２に平行となるように延在した基壁部１４ａと、基壁部１４ａにおいて仕切板部１１に近接した側の端縁からガイドレール部１３と平行となるように延在した対向壁部１４ｂと、対向壁部１４ｂの延在端部から基壁部１４ａと平行となるように延在した押え壁部１４ｃとを有し、基壁部１４ａの延在端部と押え壁部１４ｃの延在端部との間が開放した角筒状を成すものである。基壁部１４ａの延在端部には、押え壁部１４ｃに近接する方向に向けて係合凸部１４ｄが設けてある。基壁部１４ａのガイドレール部１３からの突出長さは、連結板部１２に対向する方向への突出長さに対して、互いに離反する方向への突出長さが５倍程度となるように偏らせてある。これに対して押え壁部１４ｃの対向壁部１４ｂからの突出長さは、連結板部１２に対向する方向への突出長さと、基壁部１４ａに対向する方向への突出長さとが等しくなり、かつ隣接する押え壁部１４ｃの相互間に間隙を確保するように設定してある。
【００２０】
上記のように構成したフレーム１０には、図３及び図４中の二点鎖線で示すように、仕切板部１１を挟んで両側に位置する収容空間Ｓにそれぞれ搬送チェーンや搬送ベルト等、搬送機構の搬送走行体２０が設けてある。フレーム１０の収容空間Ｓに設けられた搬送走行体２０は、ガイドレール部１３において仕切板部１１に対向する方向に突出した部分１３ａがガイドとなり、フレーム１０の延在方向に沿って走行されることになる。尚、図１１に示すように、本実施の形態の紙幣搬送装置では、一対のプーリ２１，２２の間に無端状の搬送走行体２０が巻き掛けてあり、一方の収容空間Ｓが搬送走行体２０の往路となり、他方の収容空間Ｓが搬送走行体２０の復路となるように、フレーム１０に搬送走行体２０が配設してある。
【００２１】
さらに、上述のフレーム１０には、図１〜図４に示すように、仕切板部１１を挟んで左右両側となる部位にそれぞれ合成樹脂材によって成型した搬送カバー（カバー部材）３０が取り付けてある。搬送カバー３０は、外形が矩形状を成し、フレーム１０の一方の係合溝部１４からガイドレール部１３、搬送走行体２０及びガイドレール部１３を含み、もう一方の係合溝部１４までの間を覆うことのできる大きさのカバー本体３１を有したものである。本実施の形態では、単位長さを有した複数の搬送カバー３０をフレーム１０の長手方向に沿って複数並設することにより、フレーム１０とともに紙葉搬送路１を構成するようにしている。
【００２２】
カバー本体３１は、板厚がほぼ一定となるように形成したもので、フレーム１０に対向する前面に複数のガイドリブ３１ａを有している。ガイドリブ３１ａは、フレーム１０の長手方向に沿って延在する突起であり、互いに同じ高さとなるように形成してある。
【００２３】
このカバー本体３１には、図１及び図２に示すように、フレーム１０の係合溝部１４に対向する上下両端縁部の複数箇所にそれぞれ操作用孔（操作用切欠）３２及び弾性係合片３３が設けてある。操作用孔３２は、図５及び図７に示すように、カバー本体３１においてフレーム１０に対向する前面から反対側の後面にわたって貫通した開口であり、カバー本体３１の上下で対となるように設けてある。弾性係合片３３は、図５〜図７に示すように、カバー本体３１の前面において個々の操作用孔３２よりもカバー本体３１の端縁側となる開口周縁部からフレーム１０に向けて突出した後、操作用孔３２に近接する方向に向けてほぼ１８０°湾曲することにより、個々の先端部を操作用孔３２の内部に配置したものである。弾性係合片３３においてカバー本体３１の前面から突出した部分は、フレーム１０の係合溝部１４において基壁部１４ａの係合凸部１４ｄと押え壁部１４ｃとの間に挿通させることのできる寸法に形成してある。それぞれの弾性係合片３３には、爪部３４及び補強リブ３５が設けてある。尚、以下においては便宜上、図７に示すように、弾性係合片３３においてカバー本体３１から湾曲した部位までを弾性係合片３３の基端部３３Ａと称し、湾曲した部位から先端までを弾性係合片３３の先端部３３Ｂと称して説明を行う。
【００２４】
爪部３４は、弾性係合片３３の先端部３３Ｂにおいて操作用孔３２の外部に露出した部分の外周側表面に設けた突出部である。それぞれの爪部３４は、傾斜ガイド面３４ａ及び係合面３４ｂを有している。傾斜ガイド面３４ａは、弾性係合片３３の先端部３３Ｂに向かうに従って漸次外周側表面から外方に突出するように傾斜した平面である。係合面３４ｂは、傾斜ガイド面３４ａの突出端縁から弾性係合片３３の外周側表面に向けてほぼ直角となるように設けた平面である。この係合面３４ｂは、弾性係合片３３において湾曲した部位の外周端からの距離がフレーム１０の係合溝部１４において対向壁部１４ｂから係合凸部１４ｄまでの距離よりも短い距離となる位置に設けてある。補強リブ３５は、弾性係合片３３の基端部３３Ａにおいて内表面の全長に設けた突出部である。この補強リブ３５は、弾性係合片３３の先端部３３Ｂに外力を加えた場合に、弾性係合片３３の基端部３３Ａが弾性変形するのを阻止するように機能するものである。
【００２５】
また、搬送カバー３０のカバー本体３１には、図６に示すように、ストッパ片３７が設けてある。ストッパ片３７は、カバー本体３１の前面においてフレーム１０の係合溝部１４に対向する上下両端縁部の複数箇所からそれぞれフレーム１０に向けて突出するように設けた小片状部材である。このストッパ片３７は、図３の下方に示すように、弾性係合片３３をフレーム１０の係合溝部１４において基壁部１４ａの係合凸部１４ｄと押え壁部１４ｃとの間に挿通させた場合に、係合凸部１４ｄの突出端面に当接することのできる寸法に形成してある。
【００２６】
一方、カバー本体３１の左右両端面には、図８及び図９に示すように、それぞれフレーム１０の長手方向に沿った４本の連結用溝３８が設けてある。連結用溝３８は、カバー本体３１の前面に形成した直線状の凹溝であり、カバー本体３１の端面に開口している。図３に示すように、中心側の２つの連結用溝３８は、フレーム１０の仕切板部１１に対向する位置に設けてあり、外側の２つの連結用溝３８は、ガイドレール部１３に対向する位置に設けてある。図８及び図９に示すように、これらの連結用溝３８には、隣接する搬送カバー３０を相互に連結するための継手部材４０が装着されている。
【００２７】
継手部材４０は、継手本体４１の両側にそれぞれ４本の連結用突部４２を備えたものである。継手本体４１は、カバー本体３１の上下高さと同じ長さを有し、かつ図１０の（ｂ）に示すように、カバー本体３１とほぼ同じ板厚を有したものである。この継手本体４１には、フレーム１０の係合溝部１４に対向する部位にそれぞれ操作用孔３２及び弾性係合片３３が設けてある。操作用孔３２及び弾性係合片３３は、いずれも搬送カバー３０に設けたものと同じ構成を有したものであるため、同一の符号を付してそれぞれの詳細説明は省略する。連結用突部４２は、カバー本体３１の連結用溝３８に対応する部位に形成した突出部分である。これらの連結用突部４２は、図１０の（ａ）に示すように、カバー本体３１の対応する連結用溝３８に配置した場合にフレーム１０に対向する前面がカバー本体３１の前面と同じ高さとなるように構成してある。
【００２８】
上記のように構成した搬送カバー３０は、図４の左方側に示すように、弾性係合片３３をフレーム１０の係合溝部１４に対向させた状態でそのままフレーム１０に押し付ければ、個々の弾性係合片３３の爪部３４が係合凸部１４ｄに係合した状態となり、図４の右方側に示すように、フレーム１０に対して脱落することなく取り付けられて、紙葉搬送路１を構成する。
【００２９】
すなわち、搬送カバー３０の弾性係合片３３は、フレーム１０の係合溝部１４に挿入されると、爪部３４の傾斜ガイド面３４ａが係合凸部１４ｄに当接し、先端部３３Ｂが漸次基端部３３Ａに近接するように弾性的に変形することで係合溝部１４の奥方に進入することができる。その後、傾斜ガイド面３４ａが係合凸部１４ｄを通過した時点で弾性係合片３３が元の状態に復帰し、爪部３４の係合面３４ｂが係合溝部１４の係合凸部１４ｄに対向した状態となる。この結果、弾性係合片３３の爪部３４に設けた係合面３４ｂと、フレーム１０の係合溝部１４に設けた係合凸部１４ｄとが互いに当接することにより、フレーム１０に対して搬送カバー３０の脱落する方向への移動が阻止された状態となる。搬送カバー３０の相互間に設けた継手部材４０においても、弾性係合片３３の爪部３４に設けた係合面３４ｂと、フレーム１０の係合溝部１４に設けた係合凸部１４ｄとが互いに当接することにより、フレーム１０に対して脱落する方向への移動が阻止された状態となる。
【００３０】
搬送カバー３０及び継手部材４０がフレーム１０に取り付けられた状態においては、搬送走行体２０を設けたフレーム１０と搬送カバー３０のカバー本体３１及び継手部材４０との間に搬送空間Ｍが構成される。これにより、搬送走行体２０が走行した場合には、搬送走行体２０とカバー本体３１及び継手本体４１との間において紙幣を搬送空間Ｍに沿って搬送することが可能となる。
【００３１】
ここで、フレーム１０に対して搬送カバー３０及び継手部材４０が取り付けられた状態では、図３に示すように、弾性係合片３３においてカバー本体３１の前面から突出する部分及び継手部材４０の前面から突出する部分がそれぞれフレーム１０の係合溝部１４に挿入され、かつ弾性係合片３３の先端部３３Ｂが操作用孔３２の内部に配置された状態となる。従って、この紙葉搬送路１によれば、外部から誤って弾性係合片３３に触れる事態が発生するおそれはなく、不用意に搬送カバー３０や継手部材４０が脱落する事態を招来することもない。
【００３２】
しかも、フレーム１０に搬送カバー３０が取り付けられた場合には、カバー本体３１に設けたストッパ片３７がフレーム１０の係合凸部１４ｄに当接した状態となる。従って、カバー本体３１に外力が加えられた場合にも、その外力はストッパ片３７を介してフレーム１０に伝達されることになり、弾性係合片３３が変形することはなく、フレーム１０から搬送カバー３０が脱落するおそれもない。
【００３３】
一方、紙葉搬送路１の搬送空間Ｍに対して保守や点検を行う場合には、図３の左上に示すように、操作用孔３２を介して弾性係合片３３の先端部３３Ｂをそれぞれの基端部３３Ａに近接させるように押圧すれば良い。換言すれば、カバー本体３１及び継手本体４１の上下に設けた対となる弾性係合片３３の先端部３３Ｂを互いに離反する方向に押圧して弾性変形させれば良い。弾性係合片３３の先端部３３Ｂが基端部３３Ａに向けて弾性変形すると、それぞれの爪部３４の係合面３４ｂが係合凸部１４ｄの対向域外に移動するため、この状態からフレーム１０に対して搬送カバー３０や継手本体４１を引き離せば、フレーム１０から搬送カバー３０や継手本体４１を取り外して搬送空間Ｍを開放することが可能となる。
【００３４】
この場合、本実施の形態の紙葉搬送路１によれば、単位長さを有した複数の搬送カバー３０をフレーム１０の長手方向に沿って並設するようにしているため、保守点検が必要な箇所のみの搬送空間Ｍを開放することが可能であり、長大な搬送カバー３０を取り扱う必要がないため、作業を容易に、かつ効率よく実施することが可能である。しかも、上述の紙葉搬送路１には、隣接する搬送カバー３０の間に、カバー本体３１の連結用溝３８に配置される連結用突部４２を有した継手部材４０を配置するようにしているため、搬送カバー３０相互の連結部分において紙幣が引っ掛かって詰まる等の搬送信頼性に関わる問題を招来するおそれがない。
【００３５】
すなわち、搬送カバー３０と継手部材４０との連結部分においては、フレーム１０の長手方向に直交するカバー本体３１の端面や継手部材４０の端面がそれぞれ不連続になるとともに、不連続になった端面が紙幣の搬送方向に沿って互いにずれた位置に配置されることになるため、搬送される紙幣の先端がこれらの端面に引っ掛かって詰まるおそれがなくなる。また、搬送カバー３０と継手部材４０とが連結用突部４２によって互いに噛み合った状態となるため、搬送カバー３０と継手部材４０との連結強度を向上させることができる。
【００３６】
図９中の符号５０は、フレーム１０に対して搬送カバー３０の長さを調整する際に適用するスペーサ部材である。このスペーサ部材５０は、継手部材４０の継手本体４１よりも幅広に構成したスペーサ本体５１と、スペーサ本体５１の一方の側に設けた４つの連結用切欠５２と、スペーサ本体５１の他方の側から突出した４本の連結用突部５３とを有したものである。スペーサ本体５１は、カバー本体３１の上下高さと同じ長さを有し、かつカバー本体３１とほぼ同じ板厚を有したものである。このスペーサ本体５１には、フレーム１０の係合溝部１４に対向する部位にそれぞれ操作用孔３２及び弾性係合片３３が設けてある。操作用孔３２及び弾性係合片３３は、いずれも搬送カバー３０に設けたものと同じ構成を有したものであるため、同一の符号を付してそれぞれの詳細説明は省略する。連結用切欠５２は、継手本体４１の連結用突部４２に対応して設けた開口である。連結用突部５３は、カバー本体３１の連結用溝３８に対応する部位に形成した突出部分である。これらの連結用突部５３は、カバー本体３１の対応する連結用溝３８もしくは別のスペーサ部材５０の連結用切欠５２に配置した場合に、フレーム１０に対向する前面がカバー本体３１の前面や別のスペーサ部材５０の前面と同じ高さとなるように構成してある。
【００３７】
このスペーサ部材５０を搬送カバー３０と継手部材４０との間に１つだけ介在させた場合には、連結用切欠５２の端面から連結用突部５３の端面までの距離だけ搬送カバー３０の長さを延長して調整することが可能となる。同様に、搬送カバー３０と継手部材４０との間にスペーサ部材５０を２つ介在させた場合には、連結用切欠５２の端面から連結用突部５３の端面までの距離の２倍だけ搬送カバー３０の長さを延長して調整することが可能となる。しかも、スペーサ本体５１の一方の側に連結用切欠５２を設け、かつスペーサ本体５１の他方の側に連結用突部５３を設けるようにしているため、先と同様、スペーサ部材５０を設けた部分において紙幣が引っ掛かって詰まる等の搬送信頼性に関わる問題を招来するおそれがない。
【００３８】
尚、上述した実施の形態では、紙幣を搬送するための紙葉搬送路を例示しているが、その他の紙葉を搬送するものにももちろん適用することは可能である。また、紙葉を横長起立姿勢で水平方向に沿って搬送するようにしているが、紙葉の搬送姿勢や搬送方向は必ずしもこれらに限定されるものではない。さらに、フレームの両側にそれぞれ搬送カバーを取り付けて２つの搬送空間を構成するようにしているが、フレームの一方にのみ搬送カバーを設けるものであっても良い。
【００３９】
また、上述した実施の形態では、カバー部材に設けた操作用孔を介して弾性係合片とフレームとの係合状態を解除するようにしているが、必ずしも孔である必要はなく、一部が開口した切欠を介して弾性係合片とフレームとの係合状態を解除するようにしても構わない。さらに、弾性係合片として爪部を有した先端部と基端部との間が１８０°湾曲したものを例示しているが、操作用切欠を介してフレームとの係合状態を解除できれば、弾性係合片の形状は１８０°湾曲するものに限らず、例えば直線状に延在するように弾性係合片を設けるようにしても良い。また、上下に設けた弾性係合片の互いに対向する側に爪部を設けるようにしているが、爪部を設ける位置は反対側であっても構わない。
【００４０】
尚、上述した実施の形態では、搬送カバーが水平に二等分する面に対して上下が対称となっているため、上下を逆にしてフレームに取り付けることが可能であり、また、鉛直に二等分する面に対して左右が対称となっているため、フレームの反対面に対しても取り付けることが可能であるため、部品の誤組み付けを防止し、かつ部品の共用化を図ることができるが、必ずしもこれに限定されない。
【符号の説明】
【００４１】
１      紙葉搬送路
１０      フレーム
２０      搬送走行体
３０      搬送カバー
３２      操作用孔
３３      弾性係合片
３４      爪部
３７      ストッパ片
Ｍ      搬送空間
【図１】
2015148962.tif 000003
【図２】
2015148962.tif 000004
【図３】
2015148962.tif 000005
【図４】
2015148962.tif 000006
【図５】
2015148962.tif 000007
【図６】
2015148962.tif 000008
【図７】
2015148962.tif 000009
【図８】
2015148962.tif 000010
【図９】
2015148962.tif 000011
【図１０】
2015148962.tif 000012
【図１１】
2015148962.tif 000013